(57)【要約】      （修正有）【課題】既成医療用具のストマー内の汚物排除後の内部洗浄が容易で、痔病者の排便も和やかに処理可能な浣腸代用具を提供する。【解決手段】温水３８℃前後で３．５Ｌ入の硬質プラスチック容器を頭上に吊し、容器底部の軽金属性金具にビニールホース径８ｍｍを繋ぎ、１００ｍｍ先端に長方形の弾力性ゴム球を接続し、上部に軽金属性逆止弁を、下部には軽金属性調整弁と８ｍｍ径ホースを接続し、長方形弾力性ゴム球を強く握り加圧することにより、上部逆止弁は止り、下部調整弁は開き、温水を噴射してストマー内部を洗浄できる。加圧終了後は、ゴム球の膨張力で上部逆止弁より温水が供給され、加圧膨張の繰返しでストマー内部を洗浄できる。また痔病の排便時には、ゴム球の下部調整弁先のビニールホースを径６ｍｍに付替え、容器内薬用石鹸温水を肛門周囲に少量吹付、ホース先端を暖かに患部に挿入し、ゴム球加圧を弱くして静かに薬用石鹸温水を注入し、排便を和らげる。【選択図】図１
0003224581.tif 000002
【実用新案登録請求の範囲】
【請求項１】
手術で直腸と肛門を切除の方は左横斜め下腹部に大腸の先端部を肛門代用とし既製医療用具ストマーを取付け排泄物の処理をするも内部洗浄が不十分冬季
0003224581.tif 000003
入硬質プラスチック容器を頭上に吊し下部取付け径８ｍｍビニールホース中間部に長方形弾力性ゴム球上部に軽金属性逆止弁下部に軽金属性調整弁取付け使用時長方形弾力性ゴム球を握り絞め加圧により内部温水は上部逆止弁で留り下部調整弁のビニールホース内を加圧温水は流れ医療用具ストマー内の汚物洗浄処置を可能とした用具一方痔病者の排便はビニールホース径６ｍｍに付替え洗浄部を滑らかにオリーブオイルを薄く塗り長方形の弾力ゴム球を加圧し肛門内部に滑らかな温水作用で排便の苦痛を和らげる排便浣腸代用具ストマー内部洗浄用具兼排便浣腸代用具。
【請求項２】
左横斜め下腹部の大腸先端部に既成医療用具ストマー（排泄物溜容具）竪１９５ｍｍ横１３７ｍｍ表面透明弾力性ビニール裏面肌に密着不透明ナイロン混紡ビニール径８ｍｍ通気孔の下大腸挿入穴約５０ｍｍ先端排泄口巾７５ｍｍ３
0003224581.tif 000004
スチック容器を頭上に設置下部接続８ｍｍ長さ１，０００ｍｍビニールホース８ｍｍに長方形弾力性ゴム球取付け上部に軽金属性逆支弁（チャッキバルブ）は流体を一方向に流す逆流防止弁・下部調整弁は一定の圧力が加わると弁は開き流体はながれる長方形弾力性ゴム球の温水に圧力が加わると上部逆支弁は止り下部の調整弁が開き圧力温水がホース先端の噴射力でストマー医療用具内の残留汚物を洗浄時間短縮を可能とした用具一方痔病者の排便処置も長方形弾力ゴム球下部取付軽金属６ｍｍ用にビニールホース共付替え長さ８００ｍｍの尖端部約８０ｍｍにオリーブオイルを薄く塗り長方形弾力ゴム球を握り加圧液体を肛門内に注入排便時の苦痛を和らげる浣腸代用具であることを特徴とする請求項１記載のストマー内部洗浄用具兼浣腸代用具。
【請求項３】
長方形弾力性ゴム球上部取付けの軽金属製逆止弁（チャッキバルブ）はゴム球内が加圧されると弁は絞り下部調整弁は開き加圧温水はビニール先端より噴射ストマー内の残留汚物を洗浄弾力性ゴム球の膨張力で上部逆止弁より温水が球室内に流れ一定の加圧で調整弁は開き温水はビニールホースに流れるこの作業の繰り返しでホース先端より一定の温水は噴射されストマー内部洗浄用具であり痔病者の処置は長方形弾力ゴム球下部軽金属調整弁の先端金具６ｍｍビニールホース共付替え弾力ゴム球の働きで肛門内に液体を注入排便の苦痛を和らげる排便浣腸代用具尖端部の仕上げはホース先端が接触する皮膚面保護の為丸面仕上げが原則とする上記用具と肛門注入液の使用に付いては医師の指導厳守する請求項１又は２記載のストマー内部洗浄用具兼排便浣腸代用具。
【考案の詳細な説明】
【技術分野】
【０００１】  本考案は、ストマー内部清掃はゴム手袋作業のため時間を要しても充分な洗浄不可、此れを加圧温水洗浄で可能にし、痔病者の排便も和やか処理可能とした兼用具に関する。
【背景技術】
【０００２】  手作業処置を温水の加圧噴射でストマー内を洗浄可能にしている。
【先行技術文献】
【特許文献】
【０００３】
【特許文献１】なし
【考案の概要】
【考案が解決しようとする課題】
【０００４】  本考案は、このような従来技術において単独的な発明器具は存在しても医療用具ストマー内の汚物排除後の内部洗浄と痔病対応処置兼用具を開発しようとするものである。
【課題を解決するための手段】
【０００５】  本考案は、前記課題を解決するため利用する患者の体力を考慮、トイレ内で和洋式便器に合せた椅子使用の上実施する事を特徴としている。
【考案の効果】
【０００６】  上述のように利用者が楽にストマー内の残留汚物洗浄が可能併せ排便時痔処置も和やか兼用具。
【考案を実施するための形態】
【０００７】  利用者が作業を容易にするため温水３８℃容量３．５Ｌ入り硬質プラスチック容器を頭上に吊るし長方形弾力ゴム球の加圧膨張の繰り返しで容易に実施可能。
【実施例】
【０００８】既製医療用具ストマー内部の残留汚物洗浄処置一方痔病者の和やかな排便処理も併せ自力作業可。
【既製医療用具説明】
【図面の簡単な説明】
【０００９】
【図１】図１の１  温水３８℃容量３．５Ｌ入硬質プラスチック製容器取付ビニールホース径８ｍｍ。図１の２（拡大図含む）  長方形弾力ゴム球取付。上部、逆止弁。下部調整弁  図１の３  浣腸代用具軽金属先端径６ｍｍビニールホース共軽６ｍｍに取替え使用。
【図２】図１の２拡大図
【図３】図１の４  ビニールホース先端拡大図。ビニールホース先端が作業中接触する皮膚面保護のため丸面仕上げを原則とする。
【図１】
0003224581.tif 000005
【図２】
0003224581.tif 000006
【図３】
0003224581.tif 000007
【手続補正書】
【提出日】平成31年2月12日(2019.2.12)
【手続補正１】
【補正対象書類名】実用新案登録請求の範囲
【補正対象項目名】全文
【補正方法】変更
【補正の内容】
【実用新案登録請求の範囲】
【請求項１】
手術で直腸と肛門をガン等で切除の方は左横斜め下腹部大腸の先端に肛門代用「既成医療用具ストマー」を被せ排泄物溜り処置を衛生ゴム手袋着用（１）ストマーを絞る、（２）汚物排泄処理は内部残留汚物を指にテイッシュペーパーを巻き丸めたペーパーをストマー排泄口より押し入れ洗浄処理を７回前後実施が現状、「ストマー内部洗浄用具兼排便浣腸代用において、
（１）    湯水３５℃前後容器３，５Ｌ入硬質プラスチック容器を頭上に設置、容器底部取付け軽金属金具に径８ｍｍビニールホース中間部に「長方形弾力性ゴム球」上部に恵金属性逆止弁（温水注入口）下部同部材調整弁（溜まった湯水流出口）
（２）    上記ゴム球を握り加圧時逆止弁波は止まり調整弁は開き温水は流れ、膨張時は逆止弁より温水が注入される「加圧膨張」の繰返し動作でホース先端の噴射力でストマー内の汚物洗浄が可能。
（３）    痔病の方排便時患部の「苦痛解消用具」として設置容器内に薬用石鹸水を入れゴム球を静かに加圧ホース先端より肛門周辺に少量吹付け後内部にホース挿入石鹸水を緩かに注入排便を和らげる「浣腸代用具」。既成医療用具ストマー内部洗浄用具兼排便浣腸代用具。
【請求項２】
大腸先端部に取付ける「既成医療用具ストマー（排泄物溜用具）」の形能寸法「竪１９５ｍｍ横１３７ｍｍ」表面仕上げ透明弾力性ビニール、肌に接する裏面不透明ナイロン混紡ビニール、上部に径８ｍｍ通気孔下側に大腸挿入円形穴径約５０ｍｍ排泄口先端幅７５ｍｍ「３段折畳み式」の既成「医療用ストマーに対し「温水３８℃前後容量３，５Ｌ入」硬質プラスチックの容器を頭上に設置容器底部取付け軽金属性金具に「径８ｍｍ長さ１０００ｍｍをネジバント締め付け長方形弾力性ゴム球」を接続、上部に「逆止弁（流体を一方向にのみ流す逆流防止弁）」はゴム球の膨張時逆止弁が働き温水をゴム球内に注入蓄え下部「調整弁（一定の加圧で弁が開き流体を流す）」加圧時逆止弁は止まり調整弁が開く「加圧、膨張」の繰返し動作でストマー内部を温水噴射で汚物洗浄を可能とした用具、痔病の方排便時患部の苦痛「解消用具」として長方形弾力性ゴム球を下部金具共ビニールホース径６ｍｍに付替え設置容器に｛薬用石鹸水｝を入れゴム球を緩かに加圧肛門の外側へ少量吹付けてから内部に挿入石鹸水注入排便を和げる浣腸代用具、請求項１記載の既製医療用具ストマー内部洗浄用具兼排便浣腸代用具。
【請求項３】
長方形弾力性ゴム球上部取付け軽金属性「逆止弁（チャキバルブ）」ゴム球内温水は加圧時弁は止まり下部軽金属性「調整弁」が開き温水はビニールホース先端よりストマー内を噴射残留汚物を洗浄、長方形ゴム球の「膨張力」で逆止弁より温水が球内に流入、「加圧、膨張」の繰返し動作で温水はストマー内部を噴射、汚物洗浄可能、洗浄時、和、洋式便器共「簡易折畳式腰掛」を体位の高さに合せる、体調保持のた為、痔病の処置は容器内を「薬用石鹸水」に替えゴム球下部「調整弁」とビニールホース径を６ｍｍに付け替えゴム球に弱い圧力で肛門に石鹸水を少量吹き付け後ビニールホースを内部に挿入静かに石鹸水を注入和らげる浣腸代用具で、ビニールホース径８ｍｍ径６ｍｍ先端部共挿入時、皮膚面保護の為「角は丸面仕上げ」とする、ストマー内部洗浄用具並びに浣腸代用具と薬用石鹸水使用に際しては医師の指導厳守の請求項１または２記載の既成医療用具ストマー内部洗浄用具兼排便浣腸代用具。
【手続補正２】
【補正対象書類名】明細書
【補正対象項目名】全文
【補正方法】変更
【補正の内容】
【考案の詳細な説明】
【技術分野】
【０００１】  本考案は、ストマー内部清掃は衛生ゴム手袋着用ペーパー使用処置作業のため時間を要しても充分な洗浄不可、これを加圧温水洗浄で可能にし、痔病者の排便も和やか処理可能とした兼用具に関する。
【背景技術】
【０００２】  手作業処置を温水の加圧噴射でストマー内部洗浄可能にしている。
【先行技術文献】
【特許文献】
【０００３】
【特許文献１】なし
【考案の概要】
【考案が解決しようと課題】
【０００４】  本考案は、このような従来技術において単独的な発明器具は存在しても医療用具ストマー内の汚物排除後の内部洗浄と痔病対応処置兼用具を開発しようとするものである。
【問題を開発するための手段】
【０００５】  本考案は、前記課題を解決するため利用する患者の体力を考慮、トイレ内で和洋式便器に合せた高さの椅子使用を実施する事を特徴としている。
【考案の効果】
【０００６】  上述のように利用者が楽にストマー内の残留尾汚物洗浄が可能併排便時痔処置も和やか兼用具。
【考案を実施する為の形態】
【０００７】  利用者が作業を容易にするため温水３８℃前後容量３．５Ｌ入り硬質プラスチック容器を頭上から吊るし長方形弾力性ゴム球の加圧膨張の繰返しで容易に清掃実施可能。
【実施例】
【０００８】  既成医療用具ストマー内部ぼ残留汚物洗浄処置一方痔病者の和やか排便処理も併せ自力作業可。
【図面の簡単な説明】
【０００９】
【図１】  図１の１  温水３８℃前後容量３．５Ｌ入硬質プラスチック製容器取付ビニールホース径８ｍｍ長さ１，０００ｍｍ。図１の２  長方形弾力ゴム球取付。上部、逆止弁。下部調整弁。図１の３  浣腸代用具軽金属先端径６ｍｍに付替えビニールホースも径６ｍｍに取替え使用。
【図２】  図１の２  拡大図
【図３】  図１の４  ビニールホース先端拡大図。ビニールホース先端が作業中接触する皮膚面保護のため丸面仕上げ。
【手続補正書】
【提出日】令和1年7月10日(2019.7.10)
【手続補正１】
【補正対象書類名】実用新案登録請求の範囲
【補正対象項目名】全文
【補正方法】変更
【補正の内容】
【実用新案登録請求の範囲】
【請求項１】
手術で直腸と肛門をガン等で切除の方は左斜め横下腹部に肛門代用の大腸先端部に既製医療用ストマーを被せ排泄物溜り処置を衛生ゴム手袋着用処理を行うストマー内の残留汚物はペーパーを丸め排泄口より押し入れ清潔が保てる迄処理を行う此の作業に換る方法として温水３８℃前後３．５Ｌ入硬質プラスチック容器を頭上に吊し容器底部軽金属性金具にビニールホース軽８ｍｍを繋ぎ１００ｍｍ先端に長方形弾力性ゴム球接続上部に軽金属性逆止弁下部は軽金属性調整弁長方形弾力性ゴム球を強く握り加圧上部逆弁は止り下部調整弁は開き温水を噴射ストマー内部を洗浄加圧後ゴム球の膨張力で上部逆止弁より温水は溜る下部調整弁は作動せず加圧膨張の繰返し作用でホース先端の噴射力でストマー内部の洗浄可痔病の排便時ゴム球調整弁先のビニールホース径６ｍｍに付替え容器内薬用石鹸温水を肛門周囲に少量吹付後ホース先端を暖かに患部に挿入ゴム球加圧は弱く静かに薬用石鹸温水を注入排便を和らげる浣腸代用具。
【請求項２】
左斜め横下腹部大腸吐出面に被せた医療用ストマーの形態寸法竪１９５ｍｍ横１３７ｍｍ表面透明弾力ビニール性肌に接する裏面は不透明ナイロン混紡ビニール性上部に径８ｍｍの通気孔下面に大腸挿入口円の径は人により異なる排泄口の先端幅７５ｍｍストマー内汚物流出防出は３段折畳み式マジックテープ止め温水３８℃前後容量３．５Ｌ入硬質プラスチック製容器を頭上に底部排水口は軽金属性金具にビニールホース径８ｍｍ長さ１０００ｍｍの先端に長方形弾力性ゴム球接続上部吸入口に逆止弁チャッキバルブは膨張時流体を一方向にのみ流す球内に温水を蓄える下部の調整弁は膨張時は球内に温水を溜めゴム球の加圧時調整弁は開き流出噴射する加圧膨張の繰り返し動作でビニールホース先端より温水噴射ストマー内部の汚物洗浄が可能痔病の方排便時ゴム球下部の軽金属性金具に取付ビニールホース６ｍｍに付替え容器内に薬用石鹸を入れ同温水を肛門周囲から内部に６ｍｍ同ホースを静かに挿入ゴム球の弱い加圧で薬用温水を注入排便時の苦痛を和らげる浣腸代用具請求項１記載の既成医療用具ストマー内部洗浄用具兼排便時浣腸代用具。
【請求項３】
長方形弾力性ゴム球上部に取付け軽金属性逆止弁チャッキバルブは加圧時ゴム球内温水を上部方向に流動させず下部調整弁のみが開きビニールホース先端よりストマー内部噴射汚物洗浄を行う加圧後はゴム球本体の膨張力により逆止弁から温水が球内に流入溜る此の時下部の調整弁は作動せず加圧膨張の繰返し作用でストマー内部を温水噴射汚物洗浄可能ストマー使用に限定洗浄時和洋式便器共簡易腰掛の脚を本人の体位に合せ調節切り離す痔病処置は調整弁先のビニールホースを径６ｍｍに付替えゴム球の弱い圧力で肛門周囲と内部ホース挿入は緩やかに薬用温水を注入排便時の苦痛を和らげるストマー用ビニールホース８ｍｍと痔病用ビニールホース６ｍｍの先端共に使用時ホースの先端部が患部皮膚面に接触する為角無し丸面仕上げを厳守ストマー内部洗浄用具並びに痔病処置具薬用石鹸水は使用前医師の指導を受ける事を原則請求項１または２記載の既成医療用具ストマー内部洗浄用具兼排便時浣腸代用具。
【手続補正書】
【提出日】令和1年10月15日(2019.10.15)
【手続補正１】
【補正対象書類名】実用新案登録請求の範囲
【補正対象項目名】全文
【補正方法】変更
【補正の内容】
【実用新案登録請求の範囲】
【請求項１】
手術で直腸と肛門をガン等で切除の方は左斜め横下腹部に肛門代用の大腸先端部に既製医療用ストマーを被せ排泄物溜り処置を衛生ゴム手袋着用処理を行うストマー内の残留汚物はペーパーを丸め排泄口より押し入れ清潔が保てる迄処理を行う此の作業に換る方法として温水３８℃前後３．５Ｌ入硬質プラスチック容器を頭上に吊し容器底部軽金属性金具にビニールホース軽８ｍｍを繋ぎ１００ｍｍ先端に長方形弾力性ゴム球接続上部に軽金属性逆止弁下部は軽金属性調整弁長方形弾力性ゴム球を強く握り加圧上部逆止弁は止り下部調整弁は開き温水を噴射ストマー内部を洗浄加圧後ゴム球の膨張力で上部逆止弁より温水は溜る下部調整弁は作動せず加圧膨張の繰返し作用でホース先端の噴射力でストマー内部の洗浄可痔病の排便時ゴム球調整弁先のビニールホース径６ｍｍに付替え容器内薬用石鹸温水を肛門周囲に少量吹付後ホース先端を暖かに患部に挿入ゴム球加圧は弱く静かに薬用石鹸温水を注入排便を和らげる浣腸代用具。
【請求項２】
左斜め横下腹部大腸吐出面に被せた医療用ストマーの形態寸法竪１９５ｍｍ横１３７ｍｍ表面透明弾力ビニール性肌に接する裏面は不透明ナイロン混紡ビニール性上部に径８ｍｍの通気孔下面に大腸挿入口円の径は人により異なる排泄口の先端幅７５ｍｍストマー内汚物流出防出は３段折畳み「面ファスナー」止め温水３８℃前後容量３．５Ｌ入硬質プラスチック製容器を頭上に吊し底部排水口は軽金属性金具にビニールホース径８ｍｍ長さ１０００ｍｍの先端に長方形弾力性ゴム球接続上部吸入口に逆止弁チャッキバルブは膨張時流体を一方向にのみ流す球内に温水を蓄える下部の調整弁は膨張時は球内に温水を溜めゴム球の加圧時調整弁は開き流出噴射する加圧膨張の繰り返し動作でビニ−ルホース先端より温水噴射ストマー内部の汚物洗浄が可能痔病の方排便時ゴム球下部の軽金属性金具に取付ビニールホース６ｍｍに付替え容器内に薬用石鹸を入れ同温水を肛門周囲から内部に６ｍｍ同ホースを静かに挿入ゴム球の弱い加圧で薬用温水を注入排便時の苦痛を和らげる浣腸代用具請求項１記載の既成医療用具ストマー内部洗浄用具兼排便時浣腸代用具。
【請求項３】
長方形弾力性ゴム球上部に取付け軽金属性逆止弁チャッキバルブは加圧時ゴム球内温水を上部方向に流動させず下部調整弁のみが開きビニールホース先端よりストマー内部噴射汚物洗浄を行う加圧後はゴム球本体の膨張力により上部逆止弁から温水が球内に流入溜る此の時下部の調整弁は作動せず加圧膨張の繰返し作用でストマー内部を温水噴射汚物洗浄可能ストマー使用に限定洗浄時和洋式便器共簡易腰掛の脚を本人の体位に合せ調節切り離す痔病処置は調整弁先のビニールホースを径６ｍｍに付替えゴム球の弱い圧力で肛門周囲と内部ホース挿入は緩やかに薬用温水を注入排便時の苦痛を和らげるストマー用ビニールホース８ｍｍと痔病用ビニールホース６ｍｍの先端共に使用時ホースの先端部が患部皮膚面に接触する為角無し丸面仕上げを厳守ストマー内部洗浄用具並びに痔病処置具薬用石鹸水は使用前医師の指導を受ける事を原則請求項１または２記載の既成医療用具ストマー内部洗浄用具兼排便時浣腸代用具。